(57)【特許請求の範囲】
【請求項１】
消火薬剤充填容器と、この消火薬剤充填容器に導入される加圧用ガスが充填されて上記消火薬剤充填容器に接続されたガス容器と、先端に消火薬剤の放出用ノズルが接続され後端が上記消火薬剤充填容器に接続された消火薬剤放出用ホースと、前面の開口に開閉扉を有する収納箱とを備えた消火設備において、
上記収納箱の内部に上記ガス容器と上記ホースとが収容され、その収納箱の外部に上記消火薬剤充填容器が配備され、この収納箱と上記消火薬剤充填容器とが固定されており、
上記収納箱が上記開閉扉に対向する背面板を有し、上記消火薬剤充填容器がその背面板の後方に配備されており、
上記ホースが上記収納箱の内部に巻回状態で収容されていると共に、そのホースによって取り囲まれた空間に上記ガス容器が配備されていることを特徴とする消火設備。
【請求項２】
上記収納箱と上記消火薬剤充填容器との固定が、上記背面板と上記消火薬剤充填容器に取り付けられた取付部材とを結合することによって行われている請求項１に記載した消火設備。
【請求項３】
上記収納箱と上記消火薬剤充填容器との固定が、上記背面板と上記ガス容器から延び出た接続管が接続される上記消火薬剤充填容器側の加圧ガス導入用口金とを結合することによって行われている請求項１に記載した消火設備。
【請求項４】
上記収納箱と上記消火薬剤充填容器との固定が、上記背面板と上記消火薬剤充填容器に突設されたねじ棒とを結合することによって行われている請求項１に記載した消火設備。
【請求項５】
上記背面板は、その外面が凹入する状態に曲がっており、その外面によって形成される凹所に上記消火薬剤充填容器の胴部が嵌まり込んでいる請求項１に記載した消火設備。
【請求項６】
上記収納箱が、上記背面板と上記開口を形成している側面板とを止具で結合することによって形成されている請求項２、請求項３、請求項４、請求項５のいずれかに記載した消火設備。
【発明の詳細な説明】
【０００１】
【発明の属する技術分野】
本発明は、消火設備、特に駐車場用として好適に用いることのできる消火設備に関する。
【０００２】
【従来の技術】
収納箱に、消火薬剤充填容器に接続された消火薬剤放出用ホースが収納されていると共にそのホースの先端に消火薬剤の放出用ノズルが接続されており、上記消火薬剤充填容器に導入される加圧用ガスが充填されたガス容器を備える消火設備の中で、駐車場に設置される消火設備としては、消火活動に向けた機能性を向上させる上で、横幅の短いものが好ましく用いられる。この要求を勘案した消火設備として実登２５１５０５８号公報に記載されたものがある。この公報に記載されている消火設備では、収納箱の内部において、消火薬剤充填容器が収納箱の背面板に近い奥部に配備され、その消火薬剤充填容器の前側に上記ホースが巻回状態で収容され、そのホースで取り囲まれた空間に上記ガス容器が配備されていて、開閉扉が収納箱の前面の開口に取り付けられている。
【０００３】
【発明が解決しようとする課題】
しかしながら、上記公報に記載された消火設備は、その組立工程において、重い消火薬剤充填容器を収納箱の前面の幅狭な開口からその収納箱の内部に挿入して背面板に近い奥部に固定するという非常に困難な作業を伴う問題があった。また、収納箱の内部に、消火薬剤充填容器、ガス容器、放出用ノズルの接続されているホースなどを収容すると、その収納箱の全体の重量が非常に重くなり、所定の場所に設置するときの作業性が悪いという問題があった。さらに、収納箱が上記消火薬剤充填容器などを収容し得るだけの大きさを有する必要があるためにその収納箱が大型化すると同時に、収納箱にそれらの全体荷重を支え得るだけの強度を持たせることが必要になり、これらのことから、収納箱がコスト高になるという問題があった。
【０００４】
本発明は以上の問題に鑑みてなされたものであり、消火薬剤充填容器を収納箱の外部に設置するようにすることによって、組立作業性を改善し、同時に収納箱の小形化や低コスト化が図りやすくなる消火設備を提供することを目的とする。
【０００５】
【課題を解決するための手段】
本発明に係る消火設備は、消火薬剤充填容器と、この消火薬剤充填容器に導入される加圧用ガスが充填されて上記消火薬剤充填容器に接続されたガス容器と、先端に消火薬剤の放出用ノズルが接続され後端が上記消火薬剤充填容器に接続された消火薬剤放出用ホースと、前面の開口に開閉扉を有する収納箱とを備えた消火設備において、上記収納箱の内部に上記ガス容器と上記ホースとが収容され、その収納箱の外部に上記消火薬剤充填容器が配備され、この収納箱と上記消火薬剤充填容器とが固定されている、というものである。
【０００６】
このような消火設備によると、消火薬剤充填容器を収納箱の外部に配備すればよいので、従来のように消火薬剤充填容器を収納箱に収納する作業を省略することが可能になり、同時に、消火薬剤充填容器と収納箱とを個別に取り扱うことができるようになる。また、収納箱にはホースとガス容器とを収容しておけばよいので、収納箱の小形化や軽量化を図りやすくなり、同時に、収納箱に要求される強度も従来のものよりも小さくて済み、それだけ消火設備の低コスト化を達成しやすくなる。
【０００７】
本発明の消火設備においては、上記収納箱が上記開閉扉に対向する背面板を有し、上記消火薬剤充填容器がその背面板の後方に配備されていることが望ましい。このようになっていると、収納箱に対して消火薬剤充填容器が前後方向で重なり状に配置されて消火設備全体の横幅が短くなり、そのために、駐車場に設置される消火設備として好適に採用し得るようになる。
【０００８】
また、上記ホースが上記収納箱の内部に巻回状態で収容されていると共に、そのホースによって取り囲まれた空間に上記ガス容器が配備されていることが望ましい。このようになっていると、収納箱に巻回状態で収容されたホースによって取り囲まれた空間がガス容器の設置スペースとして活用されるので、それだけ収納箱の小形を促進しやすくなる。
【０００９】
本発明の消火設備においては、上記収納箱と上記消火薬剤充填容器とが固定されている必要があり、これらの固定には様々の手段を採用することが可能である。たとえば、上記収納箱と上記消火薬剤充填容器との固定が、上記背面板と上記消火薬剤充填容器に取り付けられた取付部材とを結合する、という手段を採用することが可能である。また、上記背面板と上記ガス容器から延び出た接続管が接続される上記消火薬剤充填容器側の加圧ガス導入用口金とを結合する、という手段を採用したり、上記背面板と上記消火薬剤充填容器に突設されたねじ棒とを結合する、という手段を採用したりすることも可能である。
【００１０】
本発明の消火設備において、上記背面板は、その外面が凹入する状態に曲がっており、その外面によって形成される凹所に上記消火薬剤充填容器の胴部が嵌まり込んでいる、ものであることが望ましい。このようになっていると、消火薬剤充填容器の胴部が背面板の外面によって形成される凹所に嵌まり込んでいる分だけ、消火設備の全体の奥行寸法が短くなり、そのことが消火設備の小形化をさらに促進することに役立つ。
【００１１】
また、上記収納箱が、上記背面板と上記開口を形成している側面板とを止具で結合することによって形成されているものであってもよい。このようになっていると、消火薬剤充填容器に背面板を固定した後、その背面板を収納箱の側面板に止具を用いて結合することによって消火設備を組み立てることが可能になる。
【００１２】
【発明の実施の形態】
図１は本発明に係る消火設備の全体構成を説明的に示した概略縦断側面図、図２は図１のＩＩ線矢視図である。図１及び図２において、１は収納箱、５は消火薬剤充填容器、６１，６２はガス容器、７はホースをそれぞれ示している。
【００１３】
収納箱１は、その形状が正面視において縦長矩形になっていて、その前面には横幅の短い開口１２が備わっており、その開口１２にヒンジ１３を介して開閉扉１４が取り付けられている。そして、開閉扉１４には、表示灯１５などが装備されている。図２において矢印Ａは開閉扉の開閉方向を示している。ガス容器６１，６２やホース７は収納箱１の内部に収容されている。このうち、ホース７はコイル状に巻回されて収納箱１に設けられているホース架け１６に吊持されている。このホース７の先端には消火薬剤の放出用ノズルが接続されていて、その放出用ノズルが巻回状態のホース７によって取り囲まれた空間Ｓの上記開口１２に近い箇所に収容されている。また、ホース７の後端は消火薬剤充填容器５に接続されている。ホース７と消火薬剤充填容器５の接続部分の構造については後述する。２つのガス容器６１，６２のうち、一方のガス容器６１は消火作業に際して用いられるものであり、他方のガス容器６２はクリーニングに用いられるものであって、これらのガス容器６１，６２には、消火薬剤充填容器５に導入される高圧ガスが充填されている。そして、これらのガス容器６１，６２はいずれも上記空間Ｓを利用してその空間Ｓに収容されている。なお、ガス容器６１，６２と消火薬剤充填容器５との接続部分の構造については後述する。消火薬剤充填容器５は収納箱１の外部に配備されている。この実施形態では、消火薬剤充填容器５が収納箱１の背面板１７に接近してその後方に配備されている。また、消火薬剤充填容器５と収納箱１とは後述する構造を介して互いに固定されている。
【００１４】
図１及び図２で説明した上記消火設備では、消火薬剤充填容器５が収納箱１の外部に配備されるようになっているので、消火薬剤充填容器５を収納箱１に収納する作業を行う必要がない。また、設置作業に際して消火薬剤充填容器５と収納箱１とを別々に設置場所に搬入して設置することができるので、重い消火薬剤充填容器５を収納箱１と一緒に取り扱う必要がなくなるという利点がある。また、収納箱１は、ホース７やガス容器６１，６２などの消火薬剤充填容器５以外の要素を収容することができればよいので、その横幅寸法や奥行寸法を短くして小形化を容易に図ることができる。したがって、駐車場などに設置した場合には、駐車スペースをそれほど狭めることがなくなり、消火作業時の機能性に優れた消火設備となる。このような作用は、収納箱１に対して消火薬剤充填容器５が前後方向で重なり状に配置されて消火設備全体の横幅が短くなっていることや、収納箱１に巻回状態で収容されたホース７によって取り囲まれた空間Ｓがガス容器６１，６２の設置スペースとして活用されていることによっていっそう顕著に発揮される。そのほか、収納箱１に消火薬剤充填容器５を収容する必要がないので、その収納箱１の要求強度も小さくて済む。
【００１５】
次に、消火薬剤充填容器５と収納箱１との固定構造について説明する。
【００１６】
図３はその固定構造の一例を一部破断して説明的に示した概略部分平面図である。同図の固定構造では、収納箱１と消火薬剤充填容器５との固定が、収納箱１の背面板１７と消火薬剤充填容器５に取り付けられた取付部材５１とを結合することによって行われている。具体的には、取付部材５１の前板部５２ａに溶接で接合したボルトの軸部５４をその前板部５２ａから前方へ突出させ、その軸部５４を、背面板１７に開設した孔部１８に挿通させると共に、背面板１７の前側からナット５５を締め付けるという手段を用いて取付部材５１と背面板１７とを結合してある。取付部材５１は、背面板１７に重ね合わされる前板部５２ａと、その前板部５２ａの左右両側から後方に突き出た側板部５２ｂ，５２ｂとを一体に有しており、左右の側板部５２ｂ，５２ｂの後端が消火薬剤充填容器５の胴部５３に溶接で接合されている。なお、消火薬剤充填容器５の胴部５３は取付部材５１の左右の側板部５２ｂ，５２ｂの間に嵌まり込んでいるので、取付部材５１が消火薬剤充填容器５の前方へ大きく突き出た形にはなっていない。このため、収納箱１とその後方の消火薬剤充填容器５とによって形成されている消火設備の奥行寸法が、収納箱１の奥行寸法と消火薬剤充填容器５の奥行寸法とを合わせた寸法と同等になっている。
【００１７】
図５は消火薬剤充填容器５と収納箱１との固定構造の他の例を一部破断して説明的に示した概略部分平面図である。同図の固定構造は、消火薬剤充填容器５を収納箱１の背面板１７に直接に固定した事例である。すなわち、この固定構造では、背面板１７と消火薬剤充填容器５の胴部５３に溶接で接合されて前方へ突設されたねじ棒５６とが結合されている。具体的には、ねじ棒５６を、背面板１７に開設した孔部（不図示）に挿通させると共に、背面板１７の前側からワッシャ５６ａを介してナット５７を締め付けるという手段を用いて消火薬剤充填容器５と背面板１７とを結合してある。図例の背面板１７は、その左右方向の中央部でその外面が凹入する状態に曲がっており、その外面によって形成される凹所１８に消火薬剤充填容器５の胴部５３が嵌まり込んでいる。そのため、収納箱１とその後方の消火薬剤充填容器５とによって形成されている消火設備の奥行寸法が、収納箱１の奥行寸法と消火薬剤充填容器５の奥行寸法とを合わせた寸法よりも短くなっている。
【００１８】
図５で説明したように消火薬剤充填容器５を直接に収納箱１の背面板１７に固定するという結合構造を採用する場合には、収納箱１の背面板１７が、収納箱１の開口１２（図１又は図２参照）を形成している左右の側面板２１，２１に止具２２で結合されるようになっていることが望ましい。このようになっていると、図４のように消火薬剤充填容器５に背面板１７を取り付けた後、その背面板１７を図５のように側面板２１，２１に止具２２で固定するという手順を採用することができる。止具２２には、背面板１７の左右の両端部に形成したねじ孔にねじ込んで締めつけることのできる止めねじを好適に用いることが可能である。
【００１９】
図４に示したように、消火薬剤充填容器５の胴部５３には、上記したねじ棒５６の他に、加圧ガス導入用の口金８１、消火薬剤吐出用の口金８２、安全弁接続用の口金８３、クリーニングガス導入用の口金８４などが所定箇所に突出されており、これらは、背面板１７の所定箇所に開設されている開口２３，２４，２５に挿通されている。したがって、背面板１７を左右の側面板２１，２１に止具２２を用いて結合した後では、それらの口金８１，８２，８３，８４が収納箱１の内部に配備される。
【００２０】
図６は消火薬剤充填容器５と収納箱１との固定構造の他の例を一部破断して説明的に示した概略部分平面図である。同図の固定構造は、消火薬剤充填容器５の左右両側に溶接で固定した取付部材５８を介して、消火薬剤充填容器５を背面板１７に固定した事例である。この固定構造では、取付部材５８と背面板１７と側面板２１とが止具２６を用いて一緒に結合されている。この事例においても、背面板１７は、その左右方向の中央部でその外面が凹入する状態に曲がっており、その外面によって形成される凹所１８に消火薬剤充填容器５の胴部５３が嵌まり込んでいるので、収納箱１とその後方の消火薬剤充填容器５とによって形成されている消火設備の奥行寸法が、収納箱１の奥行寸法と消火薬剤充填容器５の奥行寸法とを合わせた寸法よりも短くなっている。
【００２１】
図７は消火薬剤充填容器５と収納箱１との固定構造のさらに他の例を一部破断して説明的に示した概略部分平面図である。同図の固定構造は、背面板１７と消火薬剤充填容器５側の口金とを結合した事例である。すなわち、消火薬剤充填容器５の胴部５３には、消火作業に際して用いられるガス容器６１から延び出た接続管（不図示：後述する）が接続される上記加圧ガス導入用口金８１や、クリーニングに際して用いられるガス容器６２から延び出た接続管が接続される加圧ガス導入用口金８５が突設されており、それらの口金８１，８５と背面板１７とが結合されている。図８を参照して背面板１７と口金８１との具体的な固定構造を説明すると、口金８１は消火薬剤充填容器５の胴部５３に開設された孔部５９を通してその胴部５３から突き出されていると共に、溶接で胴部５３に接合されている。背面板１７に開設された孔部２７に上記口金８１が挿通され、その口金８１の外周に備わっているねじ部８６に、ワッシャ８７を介してナット８８がねじ込まれて締め付けられている。口金８１には、ガス容器６１（不図示）のバルブから延び出された短管でなる接続管６４が接続されている。このような固定構造を採用すると、図４や図５などで説明したようなねじ棒５６を用いずに背面板１７と消火薬剤充填容器５とを固定することができる利点がある。他の口金８５と背面板１７との固定についても同様の構造が採用されている。なお、図８において、６５は接続管６４とバルブ６３とを結合している結合機構を示している。
【００２２】
図７に示した事例においても、背面板１７は、その左右方向の中央部でその外面が凹入する状態に曲がっており、その外面によって形成される凹所１８に消火薬剤充填容器５の胴部５３が嵌まり込んでいるので、収納箱１とその後方の消火薬剤充填容器５とによって形成されている消火設備の奥行寸法が、収納箱１の奥行寸法と消火薬剤充填容器５の奥行寸法とを合わせた寸法よりも短くなっている。また、背面板１７は左右の側面板２１，２１に止具２２を用いて結合されている。
【００２３】
本発明に係る消火設備では、消火薬剤充填容器５が収納箱１の外部に設置される。そのため、屋外では、消火薬剤充填容器５が風雨にさらされることになる。この点は、たとえば、図１に仮想線で示したように、消火薬剤充填容器５を覆うカバーＣ、好ましくは消火薬剤充填容器５と収納箱１とを覆うカバーＣを設けることによって、消火薬剤充填容器５を風雨から保護することが可能である。
【００２４】
【発明の効果】
本発明によれば、組立作業性に優れ、同時に収納箱の小形化や低コスト化が図りやすくなる消火設備を提供することができる。また、消火薬剤充填容器と収納箱とを個別に取り扱うことができるので、設置場所での設置作業が容易になる。
【図面の簡単な説明】
【図１】  本発明に係る消火設備の全体構成を説明的に示した概略縦断側面図である。
【図２】  図１のＩＩ線矢視図である。
【図３】  消火薬剤充填容器と収納箱との固定構造の一例を一部破断して説明的に示した概略部分平面図である。
【図４】  背面板を消火薬剤充填容器に取り付けた状態の概略斜視図である。
【図５】  消火薬剤充填容器と収納箱との固定構造の他の例を一部破断して説明的に示した概略部分平面図である。
【図６】  消火薬剤充填容器と収納箱との固定構造のさらに他の例を一部破断して説明的に示した概略部分平面図である。
【図７】  消火薬剤充填容器と収納箱との固定構造のさらに他の例を一部破断して説明的に示した概略部分平面図である。
【図８】  図７の要部を拡大した横断平面図である。
【符号の説明】
１  収納箱
５  消火薬剤充填容器
７  消火薬剤放出用ホース
１２  開口
１４  開閉扉
１７  背面板
１８  凹所
２２  止具
５１，５８  取付部材
５３  胴部
５６  ねじ棒
６１，６２  ガス容器
６４  接続管
８１，８５  加圧ガス導入用口金
Ｓ  ホースによって取り囲まれた空間
【図１】
0003803494.tif 000002
【図２】
0003803494.tif 000003
【図３】
0003803494.tif 000004
【図４】
0003803494.tif 000005
【図５】
0003803494.tif 000006
【図６】
0003803494.tif 000007
【図７】
0003803494.tif 000008
【図８】
0003803494.tif 000009